(57)【要約】  本開示は、タンポンを収容するアプリケータを含む衛生デバイスを対象とする。タンポンは、先端部、先端部の反対側の終端部、及び中間領域を有する一次吸収性部材を含み得る。一次吸収性部材は、第１のタンポン色を含み得る。タンポンは、一次吸収性部材に隣接する二次吸収性部材も含み得る。二次吸収性部材は、第２のタンポン色を含み得る。タンポンは、二次吸収性部材及び一次吸収性部材のうちの少なくとも一方に配設された回収部材を更に含み得る。回収部材は、第３のタンポン色を含み得る。アプリケータは、挿入部分、及び挿入部分と機能的に係合したプランジャを含み得る。プランジャは、二次吸収性部材及び回収部材のうちの少なくとも一方が、アプリケータを通して視覚的に認知可能であるように、透明な領域を有し得る。
2016533820.tif 000002
【特許請求の範囲】
【請求項１】
衛生デバイスであって、
タンポンであって、
先端部、前記先端部の反対側の終端部、及び前記終端部と前記先端部との間の中間領域を備える、一次吸収性部材と、
前記一次吸収性部材の前記終端部に隣接する二次吸収性部材と、
前記二次吸収性部材及び前記一次吸収性部材のうちの少なくとも一方に配設された回収部材と、を備える、タンポンと、
前記タンポンを収容するアプリケータであって、
挿入部分と、
前記挿入部分と機能的に係合したプランジャと、を備え、
前記プランジャ及び前記挿入部分のうちの少なくとも一方が、前記プランジャを通して前記二次吸収性部材の少なくとも一部を視覚的に認知するように構成された透明な領域を備える、アプリケータと、
を備える、衛生デバイス。
【請求項２】
前記一次吸収性領域が第１のタンポン色を含み、前記二次吸収性部材が第２のタンポン色を含み、前記回収部材が第３のタンポン色を含む、請求項１に記載の衛生デバイス。
【請求項３】
前記回収部材が第４のタンポン色を含み、前記第３のタンポン色が前記第４のタンポン色と異なる、請求項１又は２に記載の衛生デバイス。
【請求項４】
前記挿入部分が第１のアプリケータ色を含み、前記第１のアプリケータ色が前記二次吸収性部材の前記第２のタンポン色と同一である、請求項１〜３のいずれか一項に記載の衛生デバイス。
【請求項５】
前記第１のタンポン色が、前記第２のタンポン色及び前記第３のタンポン色のうちの少なくとも一方と同一である、請求項１〜４のいずれか一項に記載の衛生デバイス。
【請求項６】
前記透明な領域が第２のアプリケータ色を含み、前記第２のアプリケータ色が前記二次吸収性部材の前記第２のタンポン色と異なる、請求項１〜５のいずれか一項に記載の衛生デバイス。
【請求項７】
前記プランジャが不透明な領域を備え、前記不透明な領域が第３のアプリケータ色を含み、前記挿入部分が第１のアプリケータ色を含み、前記第１のアプリケータ色が前記第３のアプリケータ色と同一である、請求項１〜６のいずれか一項に記載の衛生デバイス。
【発明の詳細な説明】
【技術分野】
【０００１】
本開示は、改善された女性用衛生デバイスに関し、より具体的には、タンポンを収容する改善されたアプリケータに関し、そのタンポンは、増大した保護及び正しい適用の合図を送り、かつ／又は満足感をもたらすために、アプリケータを通して視覚的に認知可能である。
【背景技術】
【０００２】
タンポン及びペッサリーなどの女性用衛生デバイスは一般的に、例えば、生理若しくはその他の身体の滲出液を吸収するなどの女性のニーズ、骨盤支持、及び／又はその他の女性のニーズに対して、女性によって膣内で使用される。かかる女性用製品は、指によって又はアプリケータを使用して膣内に挿入され得る。
【０００３】
アプリケータは典型的には、挿入部分及びプランジャを備える。吸収性タンポン又はペッサリーなど、アプリケータから排出される材料は、挿入部分の内部に位置付けることができる。アプリケータを使用するために、消費者は挿入部分を把持し、挿入部分を、例えば体内に、適切に位置付け、プランジャを挿入部分内に、挿入端部に向かって動かし、タンポンなどの材料を挿入し得る。
【０００４】
女性のニーズに対応するそれらの意図される機能を果たす、様々な吸収性タンポンが、アプリケータ内で使用されてきた。最新の利用可能なタンポンは、円筒形態に圧縮された綿撒糸から作製される。次いで、圧縮されたタンポンは、挿入のためにアプリケータ内に収容され得る。挿入後、タンポンは、例えば、流体を吸収することができる。ほとんどのタンポンは、かなり良好に、流体吸収及び漏れ防止の機能を果たす。それにもかかわらず、流体は膣の全長にわたって移動し、タンポンと接触し損なう可能性があることが確認されてきた。タンポンを迂回したそれらの流体を捉えるための二次吸収性部材を含むタンポンが開発された。
【０００５】
しかしながら、消費者は、二次吸収性部材によって提供される追加の保護にほとんど気づかない。二次吸収性部材は、一次吸収性部材の終端部にある。したがって、タンポンがアプリケータ内に収容されているとき、消費者は、二次吸収性部材が存在するという視覚的指標を有せず、更に、二次吸収性部材がもたらすことができる利益を十分に評価することができない。その結果、消費者が二次吸収性部材を視覚的に識別及び認知できる、二次吸収性部材を備えるタンポンと組み合わせたアプリケータのための必要性が存在する。
【０００６】
消費者は、アプリケータが適切に構成され、タンポンを含むアプリケータが挿入のために正しい配置にあるという何らかの指標を所望することも見出された。例えば、女性用衛生デバイスを用いた経験がほとんど又は全くない消費者は、過度に複雑なデバイス、又はデバイスの正しい構成を確認できないデバイスに容易に脅かされ、圧倒され得る。より具体的には、経験の少ない消費者は、プランジャが十分に配備されていないか、又は回収用のひもが使用後の除去のために適切に配置されていないことを懸念し得る。
【０００７】
消費者は、月経時に不快な症状を経験することが多いことが見出された。より具体的には、消費者は、気分の変動、生理痛、頭痛、及び疲労を経験し得る。これにより、消費者が憂鬱を感じる結果となることが多い。現在利用可能な衛生デバイスは、これらの消費者の感情に対処することがほとんどできなかった。より具体的には、タンポンは一般的に、完全に白い配色で利用可能であり、タンポンを収容するアプリケータは、衛生デバイスに最小限の色のみを提供してきた。更に、消費者は、アプリケータ内のタンポンのいかなる部分もほとんど見ることができず、一般的に、アプリケータは、消費者に情緒的及び／又は美的利益をもたらす技術的解決策を提供できない不透明な単色の筐体を有するように設計されてきた。したがって、製品のパッケージのために消費者に何らかの情緒的及び機能的利益を提供する必要性がある。同様に、衛生製品の製造業者にとって、個々に、及び２つ以上の製品のパッケージとしての両方で、それらの製品に驚き及び興奮を組み込むことができることが有益であろう。
【発明の概要】
【課題を解決するための手段】
【０００８】
本開示の一実施形態は、タンポン、及びタンポンを収容するアプリケータを含む衛生デバイスを対象とする。タンポンは、先端部、先端部の反対側の終端部、及び終端部と先端部との間の中間領域を備える、一次吸収性部材を備え得る。一次吸収性部材は、第１のタンポン色を有し得る。タンポンは、一次吸収性部材に隣接する二次吸収性部材も備え得る。二次吸収性部材は、第２のタンポン色を有し得る。タンポンは、二次吸収性部材及び一次吸収性部材のうちの少なくとも一方に配設され、かつ二次吸収性部材から長手方向タンポン軸に実質的に平行である方向に延在する回収部材も備え得る。回収部材は、第３のタンポン色を有し得る。アプリケータは、挿入部分、及び挿入部分と機能的に係合したプランジャを備え得る。プランジャは、二次吸収性部材及び回収部材のうちの少なくとも一方が第１の要素を通して視覚的に認知可能であるように、透明な領域を備える第１の要素、及び第１の要素と摺動可能に係合する第２の要素を含み得る。
【０００９】
本開示の別の実施形態は、タンポン、及びタンポンを収容するアプリケータを備える衛生デバイスを対象とする。タンポンは、先端部、先端部の反対側の終端部、及び終端部と先端部との間の中間領域を備える、一次吸収性部材を備え得る。タンポンは、一次吸収性部材の終端部に隣接する二次吸収性部材、並びに二次吸収性部材及び一次吸収性部材のうちの少なくとも一方に配設された回収部材も含み得る。タンポンを収容するアプリケータは、挿入部分、及び挿入部分と機能的に係合したプランジャを備え得る。プランジャは、プランジャを通して二次吸収性部材の少なくとも一部を視覚的に認知するように構成された透明な領域を含み得る。
【００１０】
本開示の更に別の実施形態は、タンポン、及びタンポンを収容するアプリケータを備える衛生デバイスを対象とする。タンポンは、先端部、先端部の反対側の終端部、及び終端部と先端部との間の中間領域を備える、一次吸収性部材を備え得る。一次吸収性部材は、第１のタンポン色を有し得る。タンポンは、一次吸収性部材に取り付けられた回収部材も備え得る。回収部材は、第２のタンポン色を有し得る。タンポンを分注するように構成されたアプリケータは、挿入部分、及び挿入部分と機能的に係合したプランジャを備え得る。プランジャは、透明な領域を含み得る。回収部材は、第１の視覚的印象を作り出す透明な領域を通して視覚的に認知可能である。回収部材はまた、第２の視覚的印象を作り出すアプリケータの外側も視覚的に認知可能である。第１の視覚的印象は第２の視覚的印象と異なり得る。
【図面の簡単な説明】
【００１１】
添付図面と併せて本開示の非限定的な実施形態の以下の説明を参照すれば、本開示の上記の及び他の特徴と利益、並びにそれらを達成する方法がより明らかとなり、また本開示自体がよりよく理解されよう。
【図１】本開示の１つの非限定的な実施形態によるタンポンを収容するアプリケータの側面図である。
【図２】本開示の１つの非限定的な実施形態によるタンポンの側面図である。
【図３】本開示の１つの非限定的な実施形態によるアプリケータの側面図である。
【図４】本開示の１つの非限定的な実施形態によるアプリケータの側面図である。
【図５】本開示の１つの非限定的な実施形態によるアプリケータの側面図である。
【図６Ａ】本開示の１つの非限定的な実施形態によるアプリケータの挿入部分の側面図である。
【図６Ｂ】本開示の１つの非限定的な実施形態によるアプリケータの挿入部分の側面図である。
【図６Ｃ】本開示の１つの非限定的な実施形態によるアプリケータの挿入部分の側面図である。
【図７】本開示の１つの非限定的な実施形態によるタンポンを収容するアプリケータの側面図である。
【図８】本開示の１つの非限定的な実施形態によるタンポンを収容するアプリケータの側面図である。
【図９】本開示の１つの非限定的な実施形態によるパッケージの斜視図である。
【発明を実施するための形態】
【００１２】
本開示は、向上した吸収性及び／又は漏れ保護などの追加の機能的利益の改善された認知を伝える指標を有する、改善された女性用衛生デバイスを対象とする。更に、改善された女性用衛生デバイスは、正しい構成及び挿入準備完了の指標を提供する。
【００１３】
本明細書で使用するとき、用語「女性用衛生デバイス」は、典型的に、例えば、ユーザーの膣内など、女性が体内で使用することを意図され得る物品などの、女性のニーズに有用な吸収性物品を含む。体内の女性用衛生デバイスは、例えば、タンポン及びペッサリーを含み得る。
【００１４】
本明細書で使用するとき、用語「タンポン」は、例えば、流体の吸収のため、創傷治癒の補助のため、及び／又は水分、若しくは薬剤などの活性物質などの物質の送達のために、膣管又は他の体腔内に挿入され得る、任意の種類の吸収性構造体を指す。
【００１５】
本明細書で使用するとき、用語「プレジット」及び「タンポンプレジット」は、交換可能であることが意図され、吸収性材料の構築体をタンポンへと圧縮する前の、かかる構築体を指す。タンポンプレジットは、タンポンブランク又はソフトウインド（softwind）と称されることもあり、用語「プレジット」は、かかる用語も同様に含むことが意図される。
【００１６】
本明細書で使用するとき、用語「ペッサリー」は、尿の漏れを低減する、並びに／又は子宮脱及び／若しくは膀胱脱を支持する目的のための、任意の種類の、実質的に非吸収性の構造体を指す。このようなペッサリーは、円筒形、卵形、球状、管状、円環状、「Ｕ字」形、カップ形、リング、立方体、又はドーナツ形を含む、いかなる種類の形状及び大きさをも有することができ、例えば、支持体の直接的な適用、梃子の力、材料の選択による装置の拡大、及び／又は装置の膨張などによる、任意の好適な方法によって機能し得る。
【００１７】
本明細書で使用するとき、「膣管」という用語は、ヒトの女性の身体の外陰部内の内生殖器を指す。用語「膣管」又は「膣内」は、本明細書で使用するとき、膣の管口（ときには膣の括約筋と称されることもある）と子宮頸部との間に位置する空間を指すことが意図される。
【００１８】
本明細書で使用するとき、「アプリケータ」は、例えば、タンポン又はペッサリーなどの女性用衛生装置の、哺乳類の外側開口部への挿入を容易にする装置又は用具を指す。代表的なアプリケータとしては、テレスコープ式アプリケータ、挿入部分・プランジャ式アプリケータ、及びコンパクトアプリケータが挙げられる。
【００１９】
本明細書で使用するとき、用語「挿入端部」は、タンポン又はアプリケータを膣管に挿入するときに、膣管に最初に入ることが意図されている端部を含む、タンポン又はアプリケータの部分を指す。
【００２０】
本明細書で使用するとき、用語「引き抜き端部」は、挿入端部と反対側のアプリケータの部分を指し、アプリケータが膣から取り出されるときに、膣管を最初に出ることが意図されている。
【００２１】
本明細書で使用するとき、用語「バレル領域」は、女性用衛生装置を収容するように適合されたアプリケータの部分を指す。特定の実施形態において、バレル領域は、最大の直径を有するアプリケータの領域を含む。
【００２２】
本明細書で使用するとき、用語「インデント領域」は、アプリケータの握持及び／又は保持を容易にし得る把持表面を提供するように適合されたアプリケータの部分を指す。特定の実施形態において、インデント領域は、最小の直径を有するアプリケータの領域を含む。
【００２３】
本明細書で使用するとき、用語「肩領域」は、バレル領域からインデント領域への傾斜又は角度を提供する表面の上部領域を指す。
【００２４】
本明細書で使用するとき、用語「把持形成体」は、ユーザーがアプリケータを握持することを補助するための、アプリケータのインデント領域に設けられる、隆起した又は窪んだ構造体を指す。好適な把持形成体には、例えば、突起部、リング、隆線、リブ、エンボス、及び／又は他の隆起した表面が含まれる。
【００２５】
本明細書で使用するとき、用語「色」には、例えば、白色、黒色、赤色、オレンジ色、黄色、緑色、青色、紫色、茶色、及び／又は他の任意の色若しくはそれらの偏角などの、任意の色が含まれる。
【００２６】
本明細書で使用するとき、用語「同色」とは、同じ色調を有するが、明度及び暗度などの強度が異なり得る色を意味する。
【００２７】
本明細書で使用するとき、用語、消費者にとって「視覚的に知覚可能」とは、標準的な１００ワットの白熱電球の照度に少なくとも相当する照明の下で、０．２５メートルの距離から、ヒトの観察者が、肉眼（近視、遠視、若しくは乱視を補正するために適合される標準的な矯正レンズ、又は他の矯正視力を除く）で差異を視覚的に識別できることを意味する。
【００２８】
本明細書で使用するとき、用語「透明」とは、消費者が、透明な物体又は物の反対側に何があるかを視覚的に認知できることを意味する。透明という用語にはまた、半透明の領域も含まれる。
【００２９】
本明細書で使用するとき、用語「不透明」とは、消費者が、不透明な物体又は物の反対側に何があるかを視覚的に認知できないことを意味する。
【００３０】
図１は、タンポン１４を収容するアプリケータ１２を備える衛生デバイス１０の一例の実施形態を示す。タンポン１４は、一次吸収性部材１６、二次吸収性部材１８、及び回収部材２０を備え得る。タンポン１４を収容し得るアプリケータ１２は、挿入部分２２及びプランジャ２４を備え得る。挿入部分２２は、挿入端部２８、及び挿入端部２８の反対側の回収端部３０を画定する外側表面２６を備える。挿入部分２２は、挿入端部２８と回収端部３０との中間のバレル領域３２も備え得る。バレル領域３２は、タンポン１４などの吸収性製品を含むように適合され得る。
【００３１】
先に述べた通り、アプリケータ１２はプランジャ２４も備え得る。プランジャ２４は、挿入部分２２と機能的に係合し得る。機能的に係合とは、挿入部分２２及びプランジャ２４が、当該技術分野で周知の通り、タンポン１４を収容及び排出するというそれらの意図された目的のために構成されることを指す。挿入部分２２及びプランジャ２４のうちの少なくとも一方は、透明な領域３８及び／又は不透明な領域６８を備え得る。透明な領域３８と不透明な領域６８の両方は、アプリケータ色とも称される色であり得る。透明な領域３８によって、消費者は二次吸収性部材１８を認知する。製造業者は初めて、消費者が、タンポン１４の二次吸収性部材１８によって提供される更なる保護を正当に評価することができるアプリケータを提供することができるので、これはタンポン１４の製造業者に利点を提供する。以前のアプリケータ設計は、二次吸収性部材１８の特徴を消費者にほとんど気づかせないままにした。今では、消費者は、例えば、長さ、厚さ、及び品質などの二次吸収性部材１８の技術的特徴を認知することができる。更に、不透明な領域６８は、直ちに識別できないようにタンポンを被覆することによって、これもまた消費者が女性用衛生デバイスに求める、目立たなさを提供し得る。以下の開示は、衛生デバイス１０の様々な実施形態をより詳細に記載する。
【００３２】
図２を参照すると、上述した通り、タンポン１４は、一次吸収性部材１６、二次吸収性部材１８、及び回収部材２０を備え得る。一次吸収性部材１６は、先端部４０、及び先端部４０の反対側の終端部４２を備え得る。一次吸収性部材は、終端部４２と先端部４０との間の中間領域４４も備え得る。一次吸収性部材１６は、綿撒糸（図示せず）から形成され得る。綿撒糸は、例えば、図２に示される通り、一般的に円筒構成であり得るタンポンに圧縮され得る。しかしながら、一次吸収性部材１６は、例えば、矩形形状又は半円形形状を含む他の形状へと圧縮され得る。一次吸収性部材は、円形、矩形、三角形、半円形などの断面形状及びタンポンとして使用が可能である他の形状を有し得る。
【００３３】
一次吸収性部材１６は、レーヨン、綿、又はエアフェルトと称され得る粉砕木材パルプなどの様々な流体吸収材料から構築され得る。他の好適な吸収性材料の例としては、縮みセルロース詰め物、コフォームを含むメルトブローポリマー、化学的に剛化、変性、又は架橋されたセルロース繊維、けん縮ポリエステル繊維などの合成繊維、ピートモス、発泡体、ティッシュラップ及びティッシュラミネートを含むティッシュ、又は任意の同等の材料若しくは材料の組み合わせが挙げられる。一般的に使用される吸収性材料は、綿、レーヨン（３葉及び従来のレーヨン繊維、並びにニードルパンチレーヨンを含む）、折り畳みティッシュ、織布材料、不織布ウェブ、合成及び／又は天然繊維を含む。更に、高吸収性材料がタンポン１４内に組み込まれ得る。流体吸収材料は、一次吸収性部材１６に吸収性特性を持たせ、それは第１の吸収性と称される。
【００３４】
更に図２を参照すると、一次吸収性部材１６は、二次吸収性部材１８及び回収部材２０のうちの少なくとも一方に隣接及び／又は接合され得る。別の実施形態において、タンポン１４は、一次吸収性部材１６及び二次吸収性部材１８を備え得る。更に別の例の実施形態において、タンポン１４は、一次吸収性部材１６及び回収部材２０を備え得る。
【００３５】
より具体的には、一例の実施形態において、二次吸収性部材１８は、一次吸収性部材１６の中間領域４４の一部内に配設され得（図示せず）、かつ一次吸収性部材１６の終端部４２を超えて延在し得る。あるいは、別の例の実施形態において、二次吸収性部材１８は、一次吸収性部材１６の終端部４２から延在し得る。二次吸収性部材１８は、機械的及び／又は化学的に、一次吸収性部材１６に接合され得る。例えば、二次吸収性部材１８は、組糸などによって、結ぶ、編む／縫う、又は織るなどによって、一次吸収性部材１６に、機械的に結び付けられ得る。二次吸収性部材１８はまた、のり、又は衛生デバイスで使用するのに好適な他の接着剤によって、一次吸収性部材１６に化学的に結合され得る。
【００３６】
二次吸収性部材１８は、形状が変化し得る。一実施形態において、二次吸収性部材１８は一般的に、図２に示される通り円筒形状であり得る。代替的実施形態において、二次吸収性部材１８は、平面、矩形、スカート様、及び／又は半球形であり得る。二次吸収性部材１８は、吸収性材料から構築され得る。二次吸収性部材１８を形成するのに使用される吸収性材料は、圧縮されない可能性があり、又は圧縮される場合、二次吸収性部材１８を形成するのに使用される吸収性材料は、一次吸収性部材１６を形成するのに使用される吸収性材料より圧縮されない可能性がある。一次吸収性部材１６に使用するのに好適な吸収性材料は、二次吸収性部材１８における吸収性材料としても使用され得る。上と同様に、吸収性材料は二次吸収性部材１８に吸収性特性を持たせることを可能にし、それは第２の吸収性と称される。一次吸収性部材１６の第１の吸収性は、二次吸収性部材１８の第２の吸収性よりも大きい可能性がある。
【００３７】
二次吸収性部材１８は、入り口付近の膣部分とも称される、膣下部において吸収を提供するように設計され得る。したがって、二次吸収性部材１８は、二次吸収性部材１８全体が膣内に位置できるように形作られ得る。あるいは、二次吸収性部材１８の一部が、タンポン１４の配置及び二次吸収性部材１８の設計に応じて、膣の外に位置し得る。更に、二次吸収性部材１８は、消費者が快適に装着できるように設計され得、消費者の常用習慣を変える必要なく、増大した保護を提供する。
【００３８】
一次吸収性部材１６及び二次吸収性部材１８の両方はまた、それぞれ第１のタンポン色及び第２のタンポン色を含み得る。第２の吸収性部材１８の第２のタンポン色の少なくとも一部は、使用前に、アプリケータ１２及び／又はプランジャ２４の透明な領域３８を通して見ることができる。一般的に、消費者が一次吸収性部材１６及び／又は回収部材２０と異なるものとして二次吸収性部材１８を識別できる任意の色が使用され得る。例えば、二次吸収性部材１８は、一色又は色のいくつかの組み合わせであり得る。一例の実施形態において、二次吸収性部材１８は青色である第２のタンポン色を含み得、一次吸収性部材１６は白色である第１のタンポン色を含み得る。第１の色と第２の色との違いのため、消費者は、一次吸収性部材１６が二次吸収性部材１８と異なることを直ちに認識することができる。したがって、第１のタンポン色は第２のタンポン色と同一であり得るか、又は異なり得る。より具体的には、第１のタンポン色及び第２のタンポン色は両方とも青色であり得るが、異なる輝度レベルを有し得る。あるいは、第１のタンポン色はピンク色であり得、第２のタンポン色は青色であり得る。更に、一次吸収性部材１６の第１のタンポン色と二次吸収性部材１８の第２のタンポン色との違いは、タンポン１４の使用中に２つの部材が異なる機能を果たすことを消費者に伝えることができる。例えば、色の違いは、一次吸収性部材１６が第１の吸収性を有し、二次吸収性部材１８が、第１の吸収性とは異なる第２の吸収性を有することを消費者に伝えることができる。別の例において、第１のタンポン色と第２のタンポン色との違いは、一次吸収性部材１６が膣の１つの領域における一次保護を提供する一方で、二次吸収性部材１８が膣の別の領域におけるその後の漏れ保護を提供することを伝えることができる。
【００３９】
更に図２を参照すると、タンポン１４は回収部材２０も備え得る。一実施形態において、図示される通り、回収部材２０は二次吸収性部材１８から延在し得る。別の実施形態において、回収部材２０は一次吸収性部材１６から延在し得る。回収部材２０は、使用後タンポン１４を回収し、タンポン１４の挿入中に補助し、かつ／又はタンポン１４の挿入後の正しい配置の再確認を提供するために使用され得る。より具体的には、例えば、回収部材１４は、タンポン１４が、アプリケータ１２の端部を超えて延在することによって、アプリケータ１２内に正しく充填されたことを伝えるために消費者によって使用され得、それは以下でより詳細に考察される。更に、回収部材２０は、膣の外部に留まることによって、挿入後の正しい配置を伝えることができる。
【００４０】
回収部材２０は、一次吸収性部材１６及び二次吸収性部材１８のうちの少なくとも一方に配設され得る。別の方法で述べると、回収部材２０は、タンポン１４と一体であるか、又は一次吸収性部材１６若しくは二次吸収性部材１８などのタンポン１４の別の部分の延長部であり得る。より具体的には、回収部材２０は、機械的及び／又は化学的に、一次吸収性部材１６及び／又は二次吸収性部材１８に取り付けられ得る。回収部材２０は、タンポン１４が使用及び使用後の除去に耐えることができるように取り付けられなければならない。一例の実施形態において、回収部材２０は一次吸収性部材１６に縫い付けられ得る。別の例の実施形態において、回収部材２０は、編み込みなどにより、二次吸収性部材１８と織り交ぜられ得る。更に、回収部材２０は、回収部材２０が長手方向タンポン軸４６に実質的に平行である方向に延在することができるように、一次吸収性部材１６及び／又は二次吸収性部材１８に配設され得る。更に、回収部材２０は、回収部材２０の一部が、一次吸収性部材１６及び二次吸収性部材１８のうちの少なくとも一方によって軸方向に取り囲まれるように取り付けられ得る。回収部材２０は、より合わされるか、又は編み込まれ得る、ループ、タブ、又はひもなどのいくつかの構成であり得る。
【００４１】
回収部材２０は、種々の吸収性特性を提供するために様々な材料から作製され得る。一実施形態において、回収部材２０は、いかなる吸収性特性をも低減又は除去するために疎水性に作製され得る。別の実施形態において、回収部材２０は、レーヨン及び綿などの吸収性材料で作製され得る。吸収性材料から作製された回収部材２０は、第３の吸収性と称される吸収性特性を有し得る。更に別の実施形態において、回収部材２０は、吸収性及び非吸収性の両方を有するように作製され得る。例えば、回収部材２０は、一次吸収性部材１６の終端部４２に最も近い回収部材の部分が吸収性であり得、一次吸収性部材１６の終端部４２から最も遠い回収部材２０の部分が、非吸収性とも称される疎水性であり得るように、作製され得る。
【００４２】
回収部材２０は、第３のタンポン色も含み得る。一実施形態において、第３のタンポン色は、二次吸収性部材１８の第２のタンポン色及び／又は一次吸収性部材１６の第１のタンポン色とは異なり得る。別の実施形態において、第３のタンポン色は、一次吸収性部材１６の第１のタンポン色と同一であり得、二次吸収性部材１８の第２のタンポン色とは異なり得る。上述した通り、二次吸収性部材１８が一次吸収性部材１６又は回収部材２０のうちの少なくとも一方とは異なるものであることを消費者に視覚的に認知させる任意の色が使用され得る。
【００４３】
一例の実施形態において、二次吸収性部材１８は青色である第２のタンポン色を含み得、回収部材１６は白色である第３のタンポン色を含み得る。色の違いのため、消費者は、回収部材２０が二次吸収性部材１８とは異なることを直ちに認識するであろう。更に、回収部材２０と二次吸収性部材１８との色の違いは、タンポンの使用中に２つの部材が異なる機能を果たすことを消費者に伝えることができる。より具体的には、二次吸収性部材１８はいくらかの漏れ保護を提供し、ある程度の吸収性を有するが、一方で、回収部材２０は最低限の漏れ保護を提供し、二次吸収性部材１８よりも低い程度の吸収性を有することを、消費者が識別することができる。更に、消費者が使用後にタンポン１４を除去するときに、消費者は第３のタンポン色を含む回収部材２０と、第３のタンポン色とは異なる第２のタンポン色を含む二次吸収性部材１８とを容易に区別することができる。製品が最適な保護、及び製品の正しい使用に対する案内を提供することになるという保証を消費者に提供するので、これは製造業者にとって有利である。
【００４４】
先に述べた通り、アプリケータ１２はタンポン１４を収容することができる。図３、４、及び５はアプリケータ１２を示す。アプリケータ１２は、挿入部分２２及びプランジャ２４を備え得る。挿入部分２２は、挿入端部２８、及び挿入端部２８の反対側の回収端部３０を画定する外側表面２６を備える。挿入部分２２は、挿入端部２８と回収端部３０との中間のバレル領域３２も備え得る。バレル領域３２は、タンポン１４などの吸収性製品を含むように適合され得る。
【００４５】
一例の実施形態において、挿入部分２２はくぼみ領域３４も備え得る。くぼみ領域３４は外側表面２６から内向きに延在し得、バレル領域３２と回収端部３０との間に配設され得る。別の方法で述べると、くぼみ領域３４は挿入部分２２の外側表面２６から内側に突き出す。くぼみ領域３４は、挿入部分２２の外側表面２６の周りに円周方向に配設され得る。その上、くぼみ領域３４は肩部領域３６に隣接し得る。肩部領域３６は、バレル領域３２とくぼみ領域３４との間に配設され得る。一般的に、肩部領域３６は、バレル領域３２からくぼみ領域３４に傾斜する挿入部分２２の領域を指す。くぼみ領域３４は、消費者がアプリケータ１２を把持することができる任意の形状であり得る。より具体的には、例えば、くぼみ領域３４は、凹状形状又は正方形形状、又は湾曲及び直線部分のうちの少なくとも一方を有する何らかの他の形状であり得る。
【００４６】
一実施形態において、くぼみ領域３４は、図６Ａ〜６Ｃに示される通り、把持形成物４８を備え得る。把持形成物４８は外側表面２６から突き出し得、くぼみ領域３４から肩部領域３６及び／又はバレル領域３２に延在し得る。把持形成物４８は、例えば、長手方向形成、波、渦、又は接合した構成要素の実質的に連続的なパターンなどの任意の好適な形状で提供され得る。把持形成物４８は、突起部、リング、隆線、リブ、エンボス、陥凹部、溝及び／又は他の把持構造を含み得る。把持形成物４８は、例えば、材料の添加によって、かつ／又は、例えば、表面のエンボス加工若しくは圧縮による刻印によって、任意の好適な方式で提供することができる。
【００４７】
更に、くぼみ領域３４は、アプリケータ１２の把持及び／又は保持を補助することができる任意の好適な形状を備え得る。例えば、くぼみ領域３４は、くぼみ領域３４内に１本又は２本以上の消費者の指を配置するのに好適な形状であり得る。別の例において、くぼみ領域３４は、断面が、例えば、円形、楕円形、長円形、正方形、矩形、三角形、多角形、又は１つ若しくは２つ以上の湾曲及び／又は１つ若しくは２つ以上の直線面を有する何らかの他の形状であり得るような形状を有し得る。くぼみ領域及び把持形成物の追加の特徴は、米国特許第８，４４９，４９１号において見出され得る。
【００４８】
挿入部分２２は、任意の好適な材料から作製され得る。好適な材料としては、例えば、紙、板紙、厚紙、例えば成形セルロースなどのセルロース、又はこれらの任意の組み合わせ、ポリエチレン、ポリプロピレン、ポリブチレン、ポリスチレン、ポリ塩化ビニル、ポリアクリレート、ポリメタクリレート、ポリアクリロニトリル、ポリアクリルアミド、ポリアミド、ナイロン、ポリイミド、ポリエステル、ポリカーボネート、ポリ乳酸、ポリヒドロキシアルカノエート、エチレンビニルアセテート、ポリウレタン、シリコーン、これらの誘導体、これらのコポリマー、これらの混合物、又は任意の好適な平滑なプラスチック材料が挙げられる。好適な材料の例は、米国特許第５，３４６，４６８号及び同第５，５５８，６３１号において開示されている。特定の実施形態において、特定の材料特性を変化又は向上させるために、材料内に添加剤を含ませることができる。好適な添加剤としては、例えば、離型剤、スリップ剤、表面エネルギー変性剤、パールエッセンス剤、及び／又は他の任意の好適な添加剤が挙げられる。特定の実施形態において、挿入部分は、これに高い滑り特性を付与するために、例えば、ワックス、ポリエチレン、ワックス及びポリエチレンの組み合わせ、セロハン、粘土、雲母、及び快適な挿入を促進し得る他の潤滑剤などの物質でコーティングされ得る。あるいは、又は追加で、挿入部分２２は凹凸表面を含むことができる。テクスチャは、任意の好適な方式で、例えば、テクスチャを挿入部分内に設計することによって、又は挿入部分にテクスチャを追加することによって提供され得る。
【００４９】
上記に付け加えて、挿入部分２２はアプリケータ色を含み得る。より具体的には、アプリケータ色は、挿入部分２２の外側表面２６の一部又は全てを被覆し得る。例えば、一実施形態において、挿入部分２２は、青色であるアプリケータ色を含み得る。別の例の実施形態において、挿入部分２２は、例えば、第１のアプリケータ色及び第２のアプリケータ色などの２つ以上の色を含み得る。より具体的には、バレル領域３２は、第１のアプリケータ色を含み得、くぼみ領域３４及び／又は肩部領域３６は、第１のアプリケータ色と異なる第２のアプリケータ色を含み得る。例えば、バレル領域３２は、濃青色である第２のアプリケータ色を含むくぼみ領域３４と異なることのない淡青色である第１のアプリケータ色を含み得るが、一方で、紫色である第１のアプリケータ色を含むバレル領域３２は、青色である第２のアプリケータ色を含むくぼみ領域３４と異なる。
【００５０】
しかしながら、色が同一であるにも関わらず、消費者は、依然として異なるものとして色を認知することができる。したがって、消費者は、彼又は彼女が淡青色である第１のアプリケータ色を見たときに第１の視覚的印象、また彼又は彼女が濃青色である第２のアプリケータ色を見たときに第２の視覚的印象を有し得る。その上、第１の視覚的印象及び第２の視覚的印象を有する消費者は、依然として、アプリケータ及びタンポンが互いに結束しているか、又はまとまっていることを見出し得る。例えば、更に上の記載に言及すると、第１のアプリケータ色及び第２のアプリケータは、まとまっている又は、別の方法で述べると、結束していることが識別できるなどの異なる色相の青色である。
【００５１】
更に別の例の実施形態において、挿入部分２２は、透明な領域３８及び／又は不透明な領域６８を備え得る。一般的に、透明な領域３８によって、消費者は、どちらがアプリケータ１２内に収容されているかを認知するので、１つ又は２つ以上の視覚的印象を有する。更に、不透明な領域６８は、どちらがアプリケータ１２内に収容されているかを消費者に認知させない。例えば、バレル領域３２は透明な領域３８であり得、くぼみ領域３４は不透明な領域６８であり得る。透明な領域３８及び不透明な領域６８の両方は、１つ又は２つ以上の色を含み得る。あるいは、透明な領域３８は、透明な領域３８が、変色などのひずみなしに、どちらが挿入部分２２内に収容されているのかを示すように透明であり得る。更に別の実施形態において、透明な領域３８は透明であり得るが、透明な領域３８が、いくつかのひずみを伴って、どちらがアプリケータ１２内に収容されているかということを示すように、拡大及び／又は変色などの何らかの他の増強された特徴を提供し得る。
【００５２】
例えば、一実施形態において、衛生デバイス１０は、不透明な領域６８を備えるバレル領域３２と、透明な領域３８を備えるくぼみ領域３４とを備える、アプリケータ１２内に収容されているタンポン１４を備え得る。かかる製品を使用する消費者は、視覚的印象などによって、アプリケータ１２の透明な領域３８を通してタンポン１４を視覚的に認知し得るが、アプリケータ１２のいかなる不透明な領域６８を通してもタンポン１４を視覚的に認知することはできないであろう。これは、消費者及び製造業者両方にとって有利である。製造業者は、それらの製品に例えば、テクスチャ、色、指標などの際立った技術的特徴を追加して、製品がこれらの特徴を含むことを消費者に伝えることができる。より具体的には、消費者は、これで、アプリケータ１２を通して二次吸収性部材１８などの特徴を認知することができ、タンポン１４の吸収性などの改善された機能をより良く理解することができる。製品の進化した技術的特徴への消費者の理解は、製造業者の売り上げの向上並びに製品の技術的利点、使いやすさ、及び優れた性能を知らせることによる消費者満足度の改善をもたらすことが多い。
【００５３】
図３、４、及び５を更に参照すると、先に述べた通り、アプリケータ１２は、挿入部分２２と機能的に係合したプランジャ２４も備え得る。プランジャ２４及び挿入部分２２は、プランジャ２４がアプリケータ１２の挿入部分２２からタンポン１４を排出することができるように、互いに対して構成される。プランジャ２４は、図３に示される通り、単一の細長い部材であり得るか、又はプランジャ２４は、図４及び５に示される通り、複数要素の細長い部材であり得る。
【００５４】
単一で細長いプランジャ２４は、図３に示される通り、配置端部５０、配置端部５０の反対側のストッパー５２、及び配置端部５０とストッパー５２との間に配設された細長い本体５６を備え得る。消費者が、長手方向アプリケータ軸５４に実質的に平行である方向に、ストッパー５２又は細長い本体５６に対して軸力をかけたときに、タンポン１４が、バレル領域３２を貫通し、挿入部分２２の挿入端部２８から排出され得るように、配置端部５０は、挿入部分２２内に収容されたタンポン１４を係合し得る。配置端部５０は、タンポン１４が係合され、挿入部分２２を貫通し、かつ二次吸収性部材１８及び／又は回収部材２０がアプリケータ１２内に適切に収容される任意の形状であり得る。例えば、図３に示される通り、配置端部５０は、タンポン１４の終端部４２（図示せず）が正しく係合され、回収部材２０などのタンポン１４の他の部品がアプリケータ内に収容される円錐体形状である。代替的実施形態において、配置端部５０は、図４に示される通り、実質的に平坦な形状であり得る。上記に付け加えて、配置端部５０は、プランジャ２４が回収端部３０を通して挿入部分２２から除去されないように保つことができる。配置端部５０は、肩部領域３６及び／又はくぼみ領域３４によって適所に固定されるような大きさにされ得る。したがって、プランジャ２４は、アプリケータ１２が使用のために正しい構成にあることを消費者に保証することを援助することができる。
【００５５】
プランジャは、ストッパー５２も備え得る。ストッパー５２は、消費者が、挿入のためタンポン１４を配置するためにアプリケータ１２に力をかける場所を提供することができる。更に、ストッパー５２は、タンポン１４が完全に配置されたことを消費者に伝えるため、かつ／又はプランジャ２４が挿入部分２２に完全に進入しないようにするため、タンポン１４の挿入後に挿入部分２２の回収端部３０を係合することができる。したがって、ストッパー５２は、回収端部３０の直径及び／又は長さより長いか、又は同等の直径及び／又は長さを有し得る。ストッパー５２は、消費者が、彼らの指を置き、プランジャ２４に力をかけるための領域を可能にする任意の形状であり得、ストッパーは、プランジャ２４が挿入部分２２に完全に進入できないように十分広い場合がある。更に、ストッパー５２は、タンポン１４の回収部材２０がプランジャ２４の端部から突き出ることを可能にし得る。これにより、消費者は、タンポン１４がアプリケータ１２内に正しく充填され、使用準備ができていることを確認することができる。
【００５６】
プランジャ２４は、図３に示される通り、透明な領域３８及び／又は不透明な領域６８を備え得る。透明な領域３８及び不透明な領域６８の両方は、アプリケータ色とも称される色を含み得る。プランジャ２４の透明な領域３８により、消費者は、使用前のアプリケータ１２内のタンポン１４を観察することができる。これにより、消費者は、タンポン１４の視覚的印象を練り上げることができる。例えば、一実施形態において、プランジャ２４は、消費者が、プランジャ２４を通してタンポン１４の二次吸収性部材１８を認知できるように透明な領域３８を備え得る。例えば、二次吸収性部材１８は、青色である第２のタンポン色を含み得、プランジャ２４は、黄色である第３のアプリケータ色を含む透明な領域３８を備え得る。したがって、消費者は、緑色であるように見えるプランジャ２４内に収容された二次吸収性部材１４を認知することができる。更に別の例において、二次吸収性部材１４は、紫色である第２のタンポン色を含み得、プランジャ２４は透明である透明な領域３８を備え得る。したがって、消費者は、プランジャ２４を通して、紫色である第２のタンポン色を含む二次吸収性部材１４を認知することができる。対照的に、プランジャ２４の不透明な領域６８内に収容されたタンポン１４のこれらの部分は、消費者に視覚的に認知され得ない。
【００５７】
上記に付け加えて、透明な領域３８は、一次吸収性部材１６、二次吸収性部材１８、及び回収部材２０のうちの少なくとも１つを、アプリケータ１２を通して見ることができるような大きさにされ得る。例えば、プランジャ２４は、二次吸収性部材１８の一部及び回収部材２０の一部を、挿入前にプランジャ２４を通して認知できるように、透明な領域３８を備え得る（例えば、図１に示される通り）。より具体的には、二次吸収性部材１８は、ピンク色などの第２のタンポン色を含み得、回収部材は、白色などの第３のタンポン色を含み得る。アプリケータ１２の透明な領域３８を通して上述の色を有するタンポン１４を見ている消費者は、二次吸収性部材１８がピンク色であり、回収部材２０が白色であることを認知し得る。タンポン１４の異なる部材の色の多様性は、消費者に機能的な合図を提供する。それは、二次吸収性部材１８が回収部材２０と異なることを消費者に理解させ、更に、二次部材１８によって提供される、増大した保護などの追加された機能性を強調する。更に、それは、使用及び除去中にタンポンが適切に機能することになるという消費者への保証である、二次吸収性部材１８が回収部材２０に妥当に取り付けられているという指標を消費者に提供する。
【００５８】
別の例の実施形態において、プランジャ２４は、二次吸収性部材１８の一部及び回収部材２０の一部を、挿入前にプランジャ２４を通して認知できるように、透明な領域３８を備え得る（例えば、図１に示される通り）。より具体的には、二次吸収性部材１８は、青色などの第２のタンポン色を含み得、回収部材は、白色などの第３のタンポン色を含み得る。更に、透明な領域３８は赤色などの色であり得る。したがって、アプリケータ１２の透明な領域３８を通して上述の色を有するタンポン１４を見ている消費者は、二次吸収性部材１８が紫色であり、回収部材２０が赤色であることを認知し得る。更に、消費者は、白色であるアプリケータ１２の外側の回収部材２０の部分を見ることができる。その結果、次いで、消費者は、紫色である二次部材の第１の視覚的印象、赤色である回収部材の第２の視覚的印象、及び白色である回収部材の第３の視覚的印象を有すると言うことができる。
【００５９】
プランジャ２４は、１つ又は２つ以上の色を含み得る。より具体的には、プランジャ２４は、第４のアプリケータ色及び第５のアプリケータ色を含み得る。したがって、一例の実施形態において、プランジャ２４は、ストッパー５２、ストッパー５２の反対側の配置端部５０、及びストッパー５２と配置端部５０との中間の細長い本体５６を備え得る。ストッパー５２は、青色である第４のアプリケータ色を含み得、細長い本体５６は、淡青色である第５のアプリケータ色を含み得る。色における変化の視覚的認知は、消費者にストッパー５２が細長い本体５６と異なるものであると思わせ得る。より具体的には、異なる色を有するストッパー５２は、アプリケータのその部分との何らかの相互作用が必要とされ得ることを消費者に伝えることができる。これらの視覚的手掛かりは、消費者の製品の使いやすさをもたらすことができる。
【００６０】
図４及び５を参照すると、プランジャ２４は、挿入部分２２と組み合わせたときに小型アプリケータと称される複数要素プランジャ２４であり得る。複数要素プランジャ２４は、タンポン１４に係合し、挿入部分２２からタンポン１４を排出するのに十分に堅くて細長い部材を作製するために複数の要素が組み立てられる必要のあるものである。図４及び５は、２つの部品、つまり、第１の要素５８及び第２の要素６０を有する複数要素プランジャ２４を図示する。第２の要素６０は、第１の要素５８と摺動可能に係合され得る。より具体的には、第２の要素６０は、第１の要素５８内、又は第１の要素５８の周りで摺動することができるように設計され得る（図示せず）。
【００６１】
一例の実施形態において、上で開示した通り、プランジャ２４は配置端部５０を備え得る。配置端部５０は、第１の要素５８に配設され得る。第１の要素は、リップ６２を更に備え得る。リップ６２は、第２の要素６０の山部６４と係合し得る。第２の要素６０は、リップ６２とも係合し得る突起部６６も備え得る。山部６４及び突起部６６とリップ６２の係合により、図５に示される通り、プランジャ２４の２つの要素は、堅くて細長い構成に取り外し可能にロックされる。当業者は、互いに摺動可能に係合した一連の入れ子式要素が互いに取り外し可能にロックされて、アプリケータ１２において使用するのに好適なプランジャ２４を形成し得ることを理解するであろう。複数要素プランジャ２４を有することにより、衛生デバイス１０は大きさを小さくできるので、より小さなパッケージで販売することができ、結果として、製造業者には経費削減、消費者には増大した目立たなさをもたらすことができる。
【００６２】
プランジャ２４は１つ又は２つ以上の色を含み得る。より具体的には、プランジャ２４は、第４のアプリケータ色及び第５のアプリケータ色を含み得る。したがって、一例の実施形態において、プランジャ２４は、第１の要素５８、及び第１の要素５８と摺動可能に係合した第２の要素６０を備え得る。第１の要素は、オレンジ色である第４のアプリケータ色を含み得、第２の要素６０は、ピンク色である第５のアプリケータ色を含み得る。アプリケータ１２からタンポン１４を排出するのに有用な堅くて細長いプランジャ２４を構成するいくつもの要素は、いくつもの色を有し得る。したがって、第１の要素５８は、１つ又は２つ以上の色を含み得、第２の要素６０は、１つ又は２つ以上の色を含み得る。第１の要素５８及び第２の要素６０のそれぞれの色は同一であり得るか、又は異なり得る。
【００６３】
上と同様に、プランジャ２４は、透明な領域３８及び／又は不透明な領域６８を備え得る。複数要素プランジャ２４の任意の要素は、１つ又は２つ以上の透明な領域３８及び／又は１つ又は２つ以上の不透明な領域６８を備え得る。一例の実施形態において、図４及び５に示される通り、第１の要素５８は透明な領域３８であり得、第２の要素６０は透明な領域３８であり得る。したがって、タンポン１４は、プランジャ２４の第１の要素５８を通して認知され得る。更に、透明な領域３８は、タンポン１４が依然として、プランジャ２４を通して視覚的に認知できる限り、一色を含み得る。第２の要素６０は、透明な領域３８でもあり得る。第２の要素６０の透明な領域３８は、透明又は一色であり得、それは、第１の要素５８の透明な領域３８の色と同一であり得るか、又は異なり得る。
【００６４】
別の実施形態において、第１の要素５８は透明な領域３８を備える場合があり、第２の要素は不透明な領域６８であり得る。不透明な領域は、タンポン１４がアプリケータ１２を通して見えない領域である。不透明な領域６８は、一色を有し得る。例えば、第１の要素５８は、透明である透明な領域３８であり得、第２の要素６０は、不透明な領域６８及びオレンジ色である第４のアプリケータ色を含み得る。不透明な領域６８の色は、アプリケータの任意の他の領域と同一であり得る。上記に付け加えて、第１の要素５８は、透明な領域３８及び／又は不透明な領域６８を備え得る。同様に、第２の要素領域６０は、透明な領域３８及び／又は不透明な領域６８を備え得る。第１の要素５８及び第２の要素６０のそれぞれは、１つ又は２つ以上の色を含み得る。
【００６５】
例の実施形態は、図７及び８を参照して、本明細書に記載される。図７を参照すると、衛生デバイス１０は、タンポン１４を収容するアプリケータ１２を備える。タンポン１４は、一次吸収性部材１６、一次吸収性部材１６に隣接する回収部材２０、及び一次吸収性部材１６と回収部材２０との中間に配設された二次吸収性部材１８を備え得る。二次吸収性部材１８は、青色などの第２のタンポン色を含み得る。一次吸収性部材１６及び回収部材２０はそれぞれ、第１のタンポン色及び第３のタンポン色それぞれを含み得る。第２のタンポン色及び第３のタンポン色は、実質的に、例えば、白色などの同一色であり得る。したがって、第２のタンポン色は、第１のタンポン色及び第３のタンポン色の両方と異なる。更に、一次吸収性部材１６は、第１の吸収性を備える場合があり、二次吸収性部材１８は、第２の吸収性を備える場合があり、回収部材２０は、第３の吸収性を備える場合がある。第１の吸収性は、第２の吸収性及び第３の吸収性の両方を超える場合があり、第２の吸収性は、第３の吸収性を超える場合がある。
【００６６】
更に図７を参照すると、アプリケータ１２は、挿入部分２２及びプランジャ２４を備え得る。挿入部分２２は、バレル領域３２を画定する外側表面２６を備え得る。バレル領域３２は、一次吸収性部材１６を取り囲む。更に、挿入部分２２は、挿入端部、及び挿入端部２８の反対側の回収端部３０を備え、一次吸収性部材１６が、挿入部分２２内に収容されたときにこれらの間に配置され得る。挿入部分２２は、不透明な領域６８及び／又は透明な領域３８を備え得る。図７に示された例の実施形態において、挿入部分２２は、一次吸収性部材１６が、外側表面２６を通して視覚的に認知できないように不透明な領域６８を備える。また更に、挿入部分２２は１つ又は２つ以上の色を含み得る。
【００６７】
一実施形態において、挿入部分２２は、第１のアプリケータ色を含み得る。第１のアプリケータ色は、第１のタンポン色、第２のタンポン色、及び第３のタンポン色のうちのいずれか１つと同一であり得るか、又は異なり得る。一例の実施形態において、第１のアプリケータ色は、二次吸収性部材１８の第２のタンポン色と同一であり得、かつ一次吸収性部材１６の第１のタンポン色及び回収部材２０の第３のタンポン色のうちの少なくとも１つとは異なり得る。より具体的には、挿入部分２２の第１のアプリケータ色は青色であり得、二次吸収性部材１８の第２のタンポン色は青色であり得、第１のタンポン色及び第３のタンポン色の両方は白色であり得る。消費者は、２つの異なる輝度レベルを有する色にも関わらず、青色である２つの色を識別することができる。したがって、２つの色は、同一の色相を有するが、色の明度又は暗度とも称される輝度が異なる同一の色として識別され得る。同一の色相を有するが、異なる輝度レベルを有するこれらの色は、本開示の目的のため同一色であり得る。例えば、濃いピンク色である第１のアプリケータ色を含む挿入部分２２及び淡いピンク色である第２のタンポン色を含む二次吸収性部材１８は両方とも、同一色であり、互いに異ならないピンク色として識別され得る。
【００６８】
アプリケータ１２は、挿入部分２２と機能的に係合したプランジャ２４も備え得る。プランジャ２４は、図７に示される通り、第１の要素５８及び第２の要素６０を備える複数要素プランジャ２４である。第１の要素５８及び第２の要素６０は係合して、タンポン１４を配置することができる堅くて細長い部材を形成する。第１の要素５８及び第２の要素６０は、二次吸収性部材１８、及び回収部材２０の少なくとも一部を収容する。第１の要素５８は、二次吸収性部材１８の少なくとも一部がアプリケータ１２を通して視覚的に認知できるように、透明な領域３８を備え得る。第１の要素５８は、二次吸収性部材１８の一部だけが視覚的に認知できるのではなく、回収部材２０の一部も視覚的に認知できるような大きさにされ得る。これにより、消費者は吸収性及び厚さなどの二次吸収性部材の技術的特徴を評価するだけでなく、二次吸収性部材１８を回収部材２０と比較することができる。消費者は、吸収性の違いとして解釈され得る、厚さにおける違いが分かり得る。更に、消費者は、二次吸収性部材１８と回収部材２０との異なる機能役割についてわかるようになり得る。回収部材２０の認知可能な視点、及び二次部材１８に対するその位置は、使用後のタンポンの除去を補助することができる。除去の際に、消費者は、回収部材２０が二次吸収性部材１８に隣接して配置され、回収部材２０が二次吸収性部材１８と異なることを認識している。したがって、消費者が回収部材より前に二次吸収性部材の位置を突き止めた場合、消費者は、使用前に、二次吸収性部材との関係を認識しているので、回収部材を迅速に探すことができる可能性が高い。更に、二次吸収性部材及び回収部材の両方を見る能力を有することは、タンポンが正しく構成され、全ての部品が妥当に接続され、タンポンの各部分が伸長したのを観察することで、タンポンの挿入準備ができたという再確認を提供する。更に、回収部材２０は、一部がアプリケータ１２の外側に留まるように、プランジャ２４の端部から延在し得る。これはまた、タンポンが正しく構成され、かつタンポン１４の他の部材と関連する回収部材２０の位置の消費者の視覚的認知を補助する。
【００６９】
図７に示される通り、第２の要素６０は不透明な領域６８を備え得る。したがって、回収部材２０は、第２の要素６０を通して視覚的に認知できない。第２の要素６０は、第２のアプリケータ色を含み得る。第２のアプリケータ色は、二次吸収性部材１８の第２のタンポン色、及び挿入部分２２の第１のアプリケータ色と同一であり得る。例えば、一実施形態において、第２のアプリケータ色、第１のタンポン色、及び第１のアプリケータ色の全てはオレンジ色であり得、一次吸収性部材１６の第１のタンポン色及び回収部材２０の第３のタンポン色は、オレンジ色以外の色であり得る。更に、第１の要素５８は、透明である透明な領域３８を備え得る。この実施形態及び同様の実施形態の構成は、衛生デバイスが使用の準備ができているという合図を消費者に与える。より具体的には、衛生デバイスの消費者は、以前に記載した通り、オレンジ色の挿入部分２２、その後にオレンジ色の二次吸収性部材１８、その後にプランジャ２４のオレンジ色の第２の要素６０を認知することができる。この色の使用は、タンポン１４がアプリケータ１２内に適切に収容され、挿入されるべき位置にあるという合図を消費者に送る。同一色の連続体は、タンポンが正しく構成され、使用の準備ができているという消費者への合図である。
【００７０】
ここで図８を参照すると、アプリケータ１２はタンポン１４を収容することができる。図７に関して以前に開示した通り、タンポン１４は、図８に示した通り、アプリケータ内で使用され得る。アプリケータ１２は、挿入部分２２及びプランジャ２４を備え得る。挿入部分２２は、バレル領域３２を画定する外側表面２６を備え得る。バレル領域３２は、一次吸収性部材１６を取り囲む。更に、挿入部分２２は、挿入端部２８、及び挿入端部２８の反対側の回収端部３０を備え、一次吸収性部材１６が、挿入部分２２内に収容されたときにこれらの間に配置され得る。挿入部分２２は、不透明な領域６８及び／又は透明な領域３８を備え得る。図８に示された例の実施形態において、挿入部分２２は、不透明な領域６８及び透明な領域３８を備える。より具体的には、バレル領域３２及び挿入端部２８は、一次吸収性部材１６が、外側表面２６を通して視覚的に認知できないように、不透明な領域６８を備え得る。肩部領域３６、くぼみ領域３４、及び回収端部３０は、タンポン１４がアプリケータ１２のこれらの部分を通して視覚的に認知できるように、透明な領域３８を備え得る。
【００７１】
また更に、挿入部分２２は、１つ又は２つ以上の色を含み得る。一実施形態において、挿入部分２２は、第１のアプリケータ色を含み得る。第１のアプリケータ色は、第１のタンポン色、第２のタンポン色、及び第３のタンポン色と同一であり得るか、又は異なり得る。一例の実施形態において、第１のアプリケータ色は、二次吸収性部材１８の第２のタンポン色と同一であり得、かつ一次吸収性部材１６の第１のタンポン色及び回収部材２０の第３のタンポン色のうちの少なくとも１つとは異なり得る。より具体的には、挿入部分２２の第１のアプリケータ色は緑色であり得、二次吸収性部材１８の第２のタンポン色は緑色であり得、第１のタンポン色及び第３のタンポン色の両方は緑色以外の色であり得る。消費者は、２つの異なる輝度レベルを有する色にも関わらず、緑色である２つの色を識別することができる。したがって、２つの色は、同一の色相を有するが、色の明度又は暗度とも称される輝度レベルが異なる同一の色として識別され得る。言い方を変えれば、同一の色相を有するが、異なる輝度レベルを有するこれらの色は、本開示の目的のため同一色であり得る。例えば、濃い黄色である第１のアプリケータ色を含む挿入部分２２、及び淡い黄色である第２のタンポン色を含む二次吸収性部材１８は両方とも、黄色として識別され得、本開示の目的のため同一色である。
【００７２】
アプリケータ１２は、挿入部分２２と機能的に係合したプランジャ２４も備え得る。図８に示される通りプランジャ２４は、配置端部５０、配置端部５０の反対側のストッパー５２、及び配置端部５０とストッパー５２との間に配設された細長い本体５６を備える単一要素プランジャ２４である。プランジャ２４は、透明な領域３８及び／又は不透明な領域６８を備え得る。一実施形態において、図８に示される通り、配置端部５０、及びくぼみ領域３４に近位の細長い本体５６の一部は、透明な領域３８であり得る。したがって、二次吸収性部材１８は、挿入部分２２及びプランジャ２４のこの部分を通して視覚的に認知できる。更に、挿入部分２２に遠位の細長い本体５６は、プランジャ２４を通して、回収部材２０及び／又は二次吸収性部材１８の一部を消費者に視覚的に認知させない、不透明な領域６８を備え得る。プランジャの長さに沿った透明な領域３８及び不透明な領域６８の両方の大きさは、変動し得る。挿入部分２２及び／又はプランジャ２４を通して見ることができる二次吸収性部材１８の少なくとも一部を有することにより、消費者は、吸収性及び厚さなどの二次吸収性部材１８の技術的特徴を評価することが可能である。消費者は、透明な領域３８を通して見ることができるか、又はアプリケータ１２の端部を超えて突き出している二次吸収性部材１８と回収部材２０との厚さの違いを見ることができ、それは吸収性の違いとして解釈され得る。更に、回収部材２０の認知可能な視点及び二次部材１８に対するその位置は、使用後のタンポンの除去を補助することができる。除去の際に、消費者は、回収部材２０が二次部材１８に隣接して配置され、回収部材が二次吸収性部材と異なることを認識している。更に、二次吸収性部材及び回収部材の両方を見る能力を有することは、タンポンが正しく構成され、全ての部品が妥当に接続され、タンポンの各部分が伸長したのを見ることによって、タンポンの挿入準備ができたという再確認を提供する。
【００７３】
上記に付け加えて、回収部材２０は、回収部材２０の一部がアプリケータ１２の外側であるように、プランジャ２４の端部を越えて延在し得る。回収部材２０は、消費者が、アプリケータ１２の透明な領域３８を通して、回収部材２０の第１の視覚的印象、及びアプリケータ１２の外側の回収部材２０の第２の視覚的印象を有し得るように、１つ又は２つ以上の色を含み得る。例えば、一実施形態において、回収部材２０は、黄色である第３のタンポン色及び青色である第４のタンポン色を含み得る。次いで、消費者は、アプリケータ１２の透明な領域３８を通して、回収部材２０の第３のタンポン色、及びアプリケータ１２の外側の回収部材２０の第４のタンポン色を見ることができる。上と同様に、当業者は、タンポン１４の任意の部材が１つ又は２つ以上の色を含み得ることを容易に認識するであろう。例えば、二次吸収性部材１８は、青色及び紫色の色を含み得、かつ／又は一次吸収性部材１６は、白色及びオレンジ色を含み得る。
【００７４】
先に述べた通り、プランジャ２４は、不透明な領域６８も備え得る。したがって、不透明な領域６８中に位置する回収部材２０は、視覚的に認知できない。プランジャ２４の不透明な領域６８は、第２のアプリケータ色を含み得る。第２のアプリケータ色は、二次吸収性部材１８の第２のタンポン色、及び挿入部分２２の第１のアプリケータ色と同一であり得る。例えば、一実施形態において、第１のアプリケータ色、第２のタンポン色、及び第２のアプリケータ色の全ては紫色であり得、一次吸収性部材１６の第１のタンポン色及び回収部材２０の第３のタンポン色は、紫色以外の色であり得る。この実施形態及び同様の実施形態の構成は、衛生デバイスが使用の準備ができているという合図を消費者に与える。より具体的には、衛生デバイスの消費者は、先に述べた通り、紫色の挿入部分、その後に紫色の二次吸収性部材、その後にプランジャの紫色の不透明な領域を認知することができる。色のこの使用は、タンポン１４がアプリケータ内に適切に収容され、挿入されるべき位置にあるという合図を消費者に送る。同一色の連続体は、タンポンの使用の準備ができているという消費者への合図である。
【００７５】
図９を参照すると、上で開示された衛生デバイス１０のうちの１つ又は２つ以上は（例えば、図１に示される通りの）、パッケージ７０中で組み合わされ得る。パッケージ７０は、１つ又は２つ以上の壁７６を備え得る。１つ又は２つ以上の壁７６は、少なくとも第１の衛生デバイス及び第２の衛生デバイスを取り囲み得る（図示せず）。一例の実施形態において、第１の衛生デバイスは、一次吸収性部材及び二次吸収性部材を備える第１のタンポンを備え得る。先に記載した通り、一次吸収性部材は、先端部、及び先端部の反対側の終端部、及び終端部と先端部との間の中間領域を備え得る。同様に、二次吸収性部材は、一次吸収性部材の終端部に隣接し得る。更に、二次吸収性部材は第１の色を含み得る。第１のタンポンであり得る第１の衛生デバイスは、以前に開示した通り、第１のアプリケータ内に収容され得る。第１のアプリケータは、挿入部分、及び挿入部分と機能的に係合したプランジャを備え得る。更に、プランジャは、二次吸収性部材が、透明な領域を通して、視覚的に認知可能であるように、第１の透明な領域を備え得る。視覚的に認知可能な二次吸収性部材は、消費者のために第１の視覚的印象を作り出す。述べた通り、パッケージは、第１の衛生デバイス及び第２の衛生デバイスを含み得る。第２の衛生デバイスは、一次吸収性部材及び二次吸収性部材を備える第２のタンポンを備え得る。一次吸収性部材は、先端部、及び先端部の反対側の終端部、及び終端部と先端部との間の中間領域を備え得る。二次吸収性部材は、一次吸収性部材の終端部に隣接し得る。二次吸収性部材は、第２のタンポン色を含み得る。更に、第２のタンポンであり得る第２の衛生デバイスは、タンポンを分注するために構成され得る第２のアプリケータ内に収容され得る。第２のアプリケータは、挿入部分、及び挿入部分と機能的に係合したプランジャを備え得る。プランジャは、二次吸収性部材が第２の透明な領域を通して視覚的に認知可能である、第２の透明な領域を備え得る。これは、消費者に第２の視覚的印象を作り出す。第１のタンポン色は、第２のタンポン色と異なり得るか、又は同一であり得る。更に、第１の視覚的印象は、第２の視覚的印象と異なり得るか、又は同一であり得る。第１の透明な領域及び第２の透明な領域の両方は、透明及び一色のうちの少なくとも一方であり得る。例えば、第１の透明な領域は紫色の色であり、第２の透明な領域は透明であり得る。
【００７６】
例えば、第１の衛生デバイスは、白色である一次吸収性部材及び青色である二次吸収性部材を備える第１のタンポンを備え得る。更に、第２の衛生デバイスは、白色である一次吸収性部材及びピンク色である二次吸収性部材を備える第２のタンポンを備え得る。したがって、第１のタンポン色は青色であり、第２のタンポン色はピンク色である。その結果、第１の視覚的印象は、第２の視覚的印象と異なる。
【００７７】
別の例の実施形態において、第１の衛生デバイス及び第２の衛生デバイスのうちのいずれか又はその両方が、回収部材を更に備え得る。回収部材は、一次吸収性部材又は二次吸収性部材のうちの少なくとも一方に配設され得る。第１のタンポンの一次吸収性部材は、第３のタンポン色を含み得、第１のタンポンの回収部材は、第４のタンポン色を含み得る。同様に、第２のタンポンの一次吸収性部材は、第５のタンポン色を含み得、第２のタンポンの回収部材は、第６のタンポン色を含み得る。第１、第２、第３、第４、第５、又は第６のタンポン色のうちのいずれか１つは同一であり得るか、又は異なり得る。更に、第１のタンポンの任意の部分及び第２のタンポンの任意の部分は、回収部材が、白色及び青色などの２つの色を含むように、追加の色を含み得る。タンポンの様々な部材にわたる実質的に無限の数の色の組み合わせによって、製造業者が、吸収性などのデバイスの機能的な特徴に注意を向けるだけでなく、消費者に享受感も提供するタンポンを提供することができる。ほとんどの場合、女性の月経周期は、疼痛、疲労、気分の変動、及び他の不快な副作用を引き起こす。したがって、製造業者は、製品の使用中に消費者に何らかの喜び及び満足感を提供する方法を探している。いくつかの色の組み合わせを有する複数の異なる種類の衛生デバイスを有するパッケージを有することにより、女性は衛生デバイスを開けたときに驚きの感覚及び享受感を経験する。各パッケージは、色の組み合わせが異なる衛生デバイスで設計され得る。したがって、この「おみくじ入りクッキー」型のパッケージは、製造業者と消費者の両方に利益を提供する。
【００７８】
更に別の実施形態において、第１のタンポン及び第２のタンポンは吸収性によって異なり得る。したがって、第１のタンポン及び第２のタンポンは、色及び吸収性のうちの少なくとも一方によって異なり得る。したがって、第１のタンポンは、第１の吸収性を有する一次吸収性部材及び／又は第２の吸収性を有する二次吸収性部材及び／又は第３の吸収性を有する回収部材を備え得る。同様に、第２のタンポンは、第４の吸収性を有する一次吸収性部材及び／又は第５の吸収性を有する二次吸収性部材、及び／又は第６の吸収性を有する回収部材を備え得る。第１のタンポンにおいて、第１の吸収性は、第２の吸収性及び第３の吸収性のうちの少なくとも一方よりも大きい可能性がある。第２のタンポンにおいて、第４の吸収性は、第５の吸収性及び第６の吸収性よりも大きい可能性がある。更に、第１のタンポンの一次吸収性部材の第１の吸収性は、第２のタンポンの一次吸収性部材の第４の吸収性を超えるか、それを下回るか、又はそれと同一であり得る。第１のタンポンの二次吸収性部材の第２の吸収性は、第２のタンポンの二次吸収性部材の第５の吸収性を超えるか、それを下回るか、又はそれと同一であり得る。
【００７９】
上記に付け加えて、色は、吸収性を示すために使用され得る。より具体的には、パッケージは、緑色の色を含む第１のタンポン及び第２のタンポン、並びに黄色の色を含む第３のタンポン及び第４のタンポンを備え得る。第１のタンポン及び第２のタンポンは、実質的に同一の吸収性を有し得、第３のタンポン及び第４のタンポンは、実質的に同一の吸収性を有し得る。実質的に同一の吸収性とは、２つの吸収性の値が、互いの約１０％以内であり、かつ／又は、当業者によって識別されるときに、規制機関によって決定され得る同一の規定吸収性範囲以内であることを意味する。より具体的には、第１のタンポン及び第２のタンポンは、それぞれ、緑色の色である二次吸収性部材を備え得る。第３のタンポン及び第４のタンポンは、それぞれ、黄色の色である二次吸収性部材を備え得る。更に、第１及び第２のタンポンの吸収性は、第３及び第４のタンポンのものよりも大きい可能性がある。したがって、タンポンの緑色の色は、黄色の色を有するタンポンを超える吸収性を消費者に示し得る。この色と吸収性との組み合わせにより、製造業者は、タンポンの吸収性及びどのように各タンポンが異なるレベルの吸収性を有することができるかを、視覚的認知を通して、消費者に伝える。その上、色は、正しい消費者製品が使用されているという追加の指標を提供することができる。例えば、優れた吸収性を有するタンポンはより高いフロー時間のために使用され、優れた吸収性を示す一定の色を有することにより、消費者は、正しい吸収性を容易に識別できる。この追加された視覚的印象は、ユーザーに別の保証度及び衛生デバイスの使用における快適さを提供する。当業者は、吸収性を示し、異なるレベルの吸収性を区別するために様々な色が使用され得ることを容易に認識するであろう。
【００８０】
更に別の実施形態において、１つ又は２つ以上の衛生デバイスのパッケージは、第１の衛生デバイス及び第２の衛生デバイスを備え得る。第１の衛生デバイスは、第１のタンポンを備え得る。第１のタンポンは、先端部、先端部の反対側の終端部、及び終端部と先端部との間の中間領域を備える一次吸収性部材、並びに一次吸収性部材に配設された回収部材を備え得る。回収部材は、少なくとも第１のタンポン色を含み得る。当業者は、回収部材が２つ以上の色であり得ることを認識するであろう。第１のタンポンは、第１のアプリケータ内に収容され得る。第１のアプリケータは、使用時に第１のタンポンを分注するように構成される。第１のアプリケータは、挿入部分及びプランジャを備え得る。プランジャは、挿入部分と機能的に係合し得る。プランジャは、回収部材を第１のアプリケータにおいて視覚的に認知可能にすることができる第１の透明な領域を備え得る。これは、第１の視覚的印象を作り出すことができる。更に、第２の衛生デバイスは第２のタンポンであり得る。第２のタンポンは、先端部、及び先端部の反対側の終端部、及び終端部と先端部との間の中間領域を備える、一次吸収性部材を備え得る。第２のタンポンは、一次吸収性部材に配設された回収部材を更に備え得る。回収部材は、少なくとも第２のタンポン色を有し得る。当業者は、回収部材が２つ以上の色を含み得ることを認識するであろう。第２のタンポンは、使用時に第２のタンポンを分注するように構成される第２のアプリケータ内に収容され得る。第２のアプリケータは、プランジャと機能的に係合した挿入部分を備え得る。プランジャは、第２の透明な領域を備え得る。第２の透明な領域は、第２のアプリケータを通して、第２のタンポンの回収部材を視覚的に認知可能にさせる。第２の透明な領域は、第２の視覚的印象を作り出す。第１のタンポン色は、第２のタンポン色と同一であり得るか、又は異なり得る。同様に、第１の視覚的印象は、第２の視覚的印象と同一であり得るか、又は異なり得る。
【００８１】
別の実施形態において、第１のタンポンは、第１のタンポンの一次吸収性部材の終端部に隣接する二次吸収性部材も備え得る。「隣接」とは、図２に示される通り、二次吸収性部材が一次吸収性部材に物理的に接し得ることか、又は物理的には接しないが、むしろ、一次吸収性部材に近接していること（図示せず）を意味する。第１のタンポンの二次吸収性部材は、第３のタンポン色を含み得る。第３のタンポン色は、第１のタンポン色と異なり得るか、又は同一であり得る。その上、第２のタンポンは、第２のタンポンの一次吸収性部材の終端部に隣接する二次吸収性部材を備え得る。第２のタンポンの二次吸収性部材は、第４のタンポン色を含み得る。第４のタンポン色は、第２のタンポン色と同一であり得るか、又は異なり得る。
【００８２】
第１のアプリケータは、第１のアプリケータ色を含み得る。第１のアプリケータ色は、第１のタンポン色と同一であり得るか、又は異なり得る。また、第２のアプリケータは、第２のアプリケータ色を含み得る。第２のアプリケータ色は、第２のタンポン色と同一であり得るか、又は異なり得る。
【００８３】
更に別の実施形態において、第１のアプリケータは、第１の透明な領域を備える挿入部分、及び挿入部分と機能的に係合したプランジャを備え得る。プランジャは、第２の透明な領域を備え得る。したがって、第１のタンポンの二次吸収性部材は、第１の視覚的印象を作り出す第１の透明な領域及び第２の透明な領域のうちの少なくとも一方を通して視覚的に認知可能であり得る。同様に、第２のアプリケータは、挿入部分、及び挿入部分と機能的に係合したプランジャを備え得る。挿入部分は、第３の透明な領域を備える場合があり、プランジャは、第４の透明な領域を備える場合がある。二次吸収性部材は、第２の視覚的印象を作り出す第３の透明な領域及び第４の透明な領域のうちの少なくとも一方を通して視覚的に認知可能であり得る。第１の視覚的印象は、第２の視覚的印象と同一であり得るか、又は異なり得る。更に、第１のアプリケータは、第１のアプリケータ色を有し得、第２のアプリケータは、第２のアプリケータ色を有し得る。第１のアプリケータ色及び第２のアプリケータ色は、同一であり得るか、又は異なり得る。更に、第１のタンポンの任意の色は、第１のアプリケータ色と同一であり得るか、又は異なり得、第２のタンポンの任意の色は、第２のアプリケータ色と同一であり得るか、又は異なり得る。
【００８４】
各衛生デバイスは、デバイスを封止する個々のラップを備え得る（図示せず）。より具体的には、タンポンを収容するアプリケータを備える各衛生デバイスは、使用前に、衛生デバイスを包む封止されたオーバーラップなどのラップを備え得る。ラップは、衛生デバイスの少なくとも一部がラップ内で視覚的に認知可能であるように、透明な領域を備え得る。更に、ラップは、可撓性材料及び／又は剛性材料で作製され得る。例えば、ラップは、プラスチック、紙、又は厚紙で作製され得る。消費者に衛生デバイスを視覚的に認知させられるラップを有することにより、消費者は、アプリケータ及びタンポンの特徴を直ちに認知する。
【００８５】
パッケージ７０は、１つ又は２つ以上の表示部７４も備え得る。表示部７４は、任意の商品名、図、絵、又は製品に関する他の情報であり得る。一例の実施形態において、表示部７４は、二次吸収性部材を対象とし得、二次吸収性部材の吸収性及び複数の色に関する説明又は情報も含み得る。別の例において、表示部７４は、数々のアプリケータ色及び／又はパッケージ７０中に含まれるアプリケータ及びタンポン色の組み合わせを対象とし得る。
【００８６】
パッケージ７０は、可撓性材料及び／又は剛性材料で作製され得る。より具体的には、壁７６は、可撓性材料及び／又は剛性材料で作製され得る。例えば、パッケージは、プラスチック、紙、又は厚紙で作製され得る。更に代替的実施形態において、パッケージ７０は、可撓性及び剛性材料の組み合わせで作製され得る。更に、パッケージ７０は、１つ又は２つ以上の衛生デバイスが購入時に見える１つ又は２つ以上の窓７２を備え得る。１つ又は２つ以上の窓７２は、１つ又は２つ以上の衛生デバイスをパッケージ７０の外側から見ることができるような透明な領域３８を備え得る。上と同様に、透明な領域３８は、透明であり得るか、又は透明な領域３８は、窓の色を含み得る。
【００８７】
以前に開示した通り、ペッサリーは、尿の漏れの軽減、並びに／又は、子宮脱、及び／若しくは膀胱脱を支持する目的のための、任意の種類の、実質的に非吸収性の構造体を指す。実質的に非吸収性とは、構造体が、ペッサリーと接触する流体の約１０％未満を吸収することを意味する。上の開示は、ペッサリーである衛生デバイスにも適用され得る。より具体的には、ペッサリーは、一次吸収性部材に構造的に相関し得る圧縮部材、二次吸収性部材に構造的に相関し得る任意の二次部材、及び回収部材を備え得、各部材が、ポリマー、又は１つ又は２つ以上の添加剤によって疎水性にされた材料などの非吸収性材料から作製される。上と同様に、ペッサリーは、１つ又は２つ以上の色を備える場合があり、アプリケータ内に収容され得る。アプリケータは、消費者がアプリケータ内に収容されたペッサリーの少なくとも一部を視覚的に認知できるように、１つ又は２つ以上の透明な領域及び／又は不透明な領域を備え得る。また更に、ペッサリー及びアプリケータは、それぞれ、タンポン及びタンポンアプリケータに関して以前に開示されたものと同様の様々な色の組み合わせを含み得る。
【００８８】
本明細書に開示される寸法及び値は、列挙された正確な数値に厳密に限定されるものとして理解されるべきでない。むしろ、別段の指定がない限り、かかる寸法はそれぞれ、列挙された値及びその値の周辺の機能的に同等な範囲の両方を意味するものとする。例えば、「４０ｍｍ」と開示される寸法は、「約４０ｍｍ」を意味することが意図される。
【００８９】
相互参照されるか又は関連する全ての特許又は特許出願、及び本願が優先権又はその利益を主張する任意の特許出願又は特許を含む、本明細書に引用される全ての文書は、明示的に除外されるか、又は別途制限されない限り、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明すべてを教示、示唆、又は開示するとはみなされない。更に、本文書における用語の任意の意味又は定義が、参照することによって組み込まれた文書内の同じ用語の意味又は定義と競合する程度に、本文書におけるその用語に与えられた意味又は定義が適用されるものとする。
【００９０】
本発明の特定の実施形態を例示及び説明してきたが、他の様々な変更及び修正が、本発明の趣旨及び範囲から逸脱することなく実施され得ることは、当業者には明白であろう。したがって、本発明の範囲内にある全てのかかる変更及び修正を添付の特許請求の範囲で包含することが意図される。
【図１】
2016533820.tif 000003
【図２】
2016533820.tif 000004
【図３】
2016533820.tif 000005
【図４】
2016533820.tif 000006
【図５】
2016533820.tif 000007
【図６Ａ】
2016533820.tif 000008
【図６Ｂ】
2016533820.tif 000009
【図６Ｃ】
2016533820.tif 000010
【図７】
2016533820.tif 000011
【図８】
2016533820.tif 000012
【図９】
2016533820.tif 000013
【国際調査報告】
2016533820.tif 000014
2016533820.tif 000015
2016533820.tif 000016